(57)【要約】【課題】薬剤補充口の開閉が容易であると共に、流量計等の機器の腐食が防止される薬剤溶解供給装置を提供する。【解決手段】槽３の上部には固形薬剤Ａの補充口３ｃが設けられ、蓋３ｄが着脱自在に装着されている。槽３内に水を供給するための給水管７の途中は上下方向に延在した上向流部７ａとなっており、流量計５及び逆止弁７は、この上向流部７ａに、流量計５が逆止弁６の上側となるように設置されている。給水管７からの水は散水器３ａからシャワー状に吐出され、薬剤水溶液は槽３の下部の流出口３ｂから取り出される。【選択図】図１
2012206069.tif 000002
【特許請求の範囲】
【請求項１】
固形薬剤を収容する槽と、該槽内に水を供給するポンプとを有する薬剤溶解供給装置において、
該槽の上部に蓋付きの薬剤補充口が設けられており、
該槽の上部に該水の散水器が設けられ、該槽の下部に薬剤水溶液の流出口が設けられていることを特徴とする薬剤溶解供給装置。
【請求項２】
請求項１において、前記散水器に連なる給水管に上向流部を設け、該上向流部に流量計及び逆止弁を、該流量計が逆止弁の上位となるように設けたことを特徴とする薬剤溶解供給装置。
【請求項３】
請求項１又は２において、固形薬剤が塩素系薬剤であることを特徴とする薬剤溶解供給装置。
【発明の詳細な説明】
【技術分野】
【０００１】
本発明は、固形薬剤を水に溶解させて薬剤の水溶液を供給するための薬剤溶解供給装置に係り、特に塩素系薬剤の溶解及び供給に好適な薬剤溶解供給装置に関する。
【背景技術】
【０００２】
冷却水系、紙パルププロセス水系、集塵水系、スクラバー水系、プールなどの水系に塩素系薬剤を添加して菌類や藻類による障害を防止することが広く行われている（例えば特許文献１）。
【０００３】
従来、固形薬剤を水に溶解させて薬剤水溶液として供給するための薬剤溶解供給装置として、図２に概略的に示す上向流方式のものが用いられている。図２において、固形薬剤Ａを収容した槽１の底部の流入口１ａにポンプ２から流量計５を介して水を供給し、この水を固形薬剤Ａと接触させる。固形薬剤が溶け込んだ水溶液は、槽１上部の流出口１ｂから流出し、水系に添加される。槽１の上部には、薬剤補充口１ｃが設けられ、蓋１ｄが水密的に装着されている。
【先行技術文献】
【特許文献】
【０００４】
【特許文献１】特開２００９−８４１６３
【発明の概要】
【発明が解決しようとする課題】
【０００５】
上記従来の薬剤溶解供給装置では、蓋１ｄが補充口１ｃに水密的に装着されており、開閉しにくい。
【０００６】
また、上記従来の薬剤溶解供給装置において、固形薬剤Ａが塩素系薬剤である場合、槽１内に水を供給して、固形薬剤Ａが水に濡れた場合、通水停止後、固形薬剤Ａの表面から塩素系薬剤と残留水分との反応により塩素系ガスが発生し、この塩素系ガスが流量計５と接触して流量計５を腐食させるおそれがある。
【０００７】
本発明は、上記従来の問題点を解決し、薬剤補充口の開閉が容易な薬剤溶解供給装置を提供することを目的とする。
【０００８】
また、本発明は、その一態様において、流量計等の機器の腐食が防止される薬剤溶解供給装置を提供することを目的とする。
【課題を解決するための手段】
【０００９】
本発明（請求項１）の薬剤溶解供給装置は、固形薬剤を収容する槽と、該槽内に水を供給するポンプとを有する薬剤溶解供給装置において、該槽の上部に蓋付きの薬剤補充口が設けられており、該槽の上部に該水の散水器が設けられ、該槽の下部に薬剤水溶液の流出口が設けられていることを特徴とするものである。
【００１０】
請求項２の薬剤溶解供給装置は、請求項１において、前記散水器に連なる給水管に上向流部を設け、該上向流部に流量計及び逆止弁を、該流量計が逆止弁の上位となるように設けたことを特徴とするものである。
【００１１】
請求項３の薬剤溶解供給装置は、請求項１又は２において、固形薬剤が塩素系薬剤であることを特徴とするものである。
【発明の効果】
【００１２】
本発明の薬剤溶解供給装置では、固形薬剤を溶解するための水を槽の上部から散水して固形薬剤と接触させるようにしており、槽内が満水とならない。そのため、補充口の蓋を水密的にする必要がなく、補充口の蓋の開閉が容易となる。
【００１３】
また、本発明の一態様においては、散水器への給水系統の途中に上向流部を設け、この上向流部に流量計と逆止弁を流量計が上位となるように設置している。この場合、ポンプを停止すると、上向流部の逆止弁よりも上側に水が残り、流量計が水封状態となる。このため、固形薬剤が塩素系薬剤の場合、槽内で発生した塩素系ガスが流量計に接触することが防止され、流量計の耐久性が向上する。
【図面の簡単な説明】
【００１４】
【図１】本発明の実施の形態に係る薬剤溶解供給装置の断面図である。
【図２】従来の薬剤溶解供給装置の断面図である。
【図３】冷却塔の断面図である。
【図４】図３のIV−IV線に沿う拡大断面図である。
【発明を実施するための形態】
【００１５】
以下、図１を参照して実施の形態について説明する。
【００１６】
槽３は、上部にシャワーヘッド状の散水器３ａが設置され、下部の一方の側面部に流出口３ｂが設けられている。この流出口３ｂには、固形薬剤Ａの流出防止用のメッシュ４が設けられている。散水器３ａには、ポンプ２からの水が逆止弁６及び流量計５を有する給水管７を介して導入可能とされている。
【００１７】
槽３の上部には固形薬剤Ａの補充口３ｃが設けられ、蓋３ｄが着脱自在に装着されている。なお、給水管７の途中は上下方向に延在した上向流部７ａとなっており、流量計５及び逆止弁７は、この上向流部７ａに、流量計５が逆止弁６の上側となるように設置されている。
【００１８】
このように構成された薬剤溶解供給装置において、薬剤水溶液を供給するときには、ポンプ２を作動させ、水を散水器３ａから散水する。散水された水は槽３内の固形薬剤Ａと接触し、薬剤成分が溶け込んだ水溶液となって流出口３ｂから流出する。
【００１９】
このように、この薬剤溶解供給装置では、固形薬剤を溶解するための水を槽３内に上方から散水するので、槽３内が満水となることはない。従って、補充口３ｃの蓋３ｄは厳重な水密性を必要とせず、蓋３ｄの開閉が容易である。
【００２０】
また、この実施の形態では、給水管７に上向流部７ａを設け、流量計５を逆止弁６よりも上位に設置している。そのため、ポンプ２を停止したときには、上向流部７ａの逆止弁６よりも上側に水が残り、流量計５が水封状態となっている。このため固形薬剤Ａが塩素系薬剤であり、通水停止時に該塩素系薬剤から塩素系ガスが発生しても、このガスが流量計５に到達しない。このため、流量計５が腐食することが防止され、流量計５の耐久性が向上する。
【００２１】
固形薬剤Ａとしては、トリクロロイソシアヌル酸、ジクロロイソシアヌル酸ナトリウムなどのクロルイソシアヌル酸化合物、次亜塩素酸カルシウムなどの塩素系薬剤が好適であるが、これに限定されない。
【００２２】
ところで、本発明のような薬剤溶解供給装置を開放式循環冷却水系の冷却塔に設置する場合の好適な位置又は薬注位置について図３，４を参照して説明する。
【００２３】
図３の通り、冷却塔１０内の水がピット１１の吸い込み部１２から配管１３、ポンプ１４、配管１５、熱交換器（図示略）及び配管１６を通って冷却塔１０に戻り、散水管１７から冷却塔１０内の充填材１８に注ぎかけられる。冷却水は充填材１８に沿って伝わり落ち、この間に水の一部が蒸発し、冷却水が冷却される。補給水は配管１９からピット１１内に供給される。冷却塔１０が大形の場合、ピット１１内に仕切り板２０が設けられる。なお、仕切り板２０を挟んで隣接する室（セル）は、仕切り板２０に設けられた連結部２０ａによって連通している。
【００２４】
このような冷却塔１０にスライムコントロール剤を薬注する場合、図４の通り、薬注装置２２と、スライムコントロール剤の有効成分濃度を測定するためのセンサ２１とを吸い込み部１２を挟んで対称となるように配置するのが好ましい。室（セル）が複数ある場合には、薬注装置２２とセンサ２１とを同一セルに配置する。
【００２５】
この冷却塔１０においては、溶解した薬剤が循環水と混合された後、センサ２１と接触するようになるので平均的な濃度が測定できるようになる。
【００２６】
また、セルが複数ある系において、設備の稼動有無がインターロック信号として取れないような場合に設備が休止中に薬剤水溶液がピット内に添加されても早く感知できるために薬剤を過剰供給することが防止される。
【００２７】
薬注装置を冷却塔外に配置し、薬剤水溶液をピットに添加する場合には、この添加位置が上記薬注装置２２の位置となるようにすればよい。
【００２８】
なお、仮に薬注装置２２とセンサ２１とが近接配置されていると、次のような不具合がある。
【００２９】
即ち、溶解槽と濃度センサの位置が近い場合、高濃度の薬剤が濃度センサに接して、系内の有効成分を高く見積もってしまう場合や、センサ自体が高濃度の薬剤により劣化してしまうことがあった。
【００３０】
一方で、溶解槽と濃度センサの位置が遠い場合、濃度を低く感知してしまうため、実際の有効成分濃度が高くなりすぎることがあった。
【００３１】
また、設備の稼動有無がインターロック信号として取れない系である場合に設備が休止中であるにも関わらず、時間の経過による薬品有効成分低下に伴い、薬剤が供給されることがある。その場合、冷却塔のセルが複数あって溶解槽と濃度センサが異なるセル（遠い位置）にある場合に過剰に供給させることがあった。
【００３２】
これに対し、上記図４のような位置関係とすることにより、溶解槽から供給される薬剤が冷却塔を循環する際に十分に混合され、平均的な濃度を示すようになった。また、水が循環していない場合（設備休止中の時）に万が一、薬剤が供給されても位置関係として遠くはないため、過剰に供給される前に感知される。
【符号の説明】
【００３３】
１，３  槽
２  ポンプ
３ａ  散水器
３ｂ  流出口
３ｃ  補充口
３ｄ  蓋
４  メッシュ
５  流量計
６  逆止弁
Ａ  固形薬剤
【図１】
2012206069.tif 000003
【図２】
2012206069.tif 000004
【図３】
2012206069.tif 000005
【図４】
2012206069.tif 000006